(57)【要約】【課題】従来の前部耕耘式管理機の耕耘カバーにおいては、平面視で長方形状に構成されていたので、枕地での回行時において、該長方形の角部が畦や畝や土手部分に接触する為に、枕地回行半径を小さく出来ないという不具合があったのである。【解決手段】車輪１０の前部に耕耘装置Ｒを配置し、該耕耘装置Ｒの前に耕深調節輪１１を配置した管理機において、耕耘装置Ｒを構成する耕耘カバー３の前端縁部３ｃを、左右の車輪１０の中央位置を中心Ｏとする円弧状に構成した。【選択図】図１
2006020563.tif 000002
【特許請求の範囲】
【請求項１】
車輪１０の前部に耕耘装置Ｒを配置し、該耕耘装置Ｒの前に耕深調節輪１１を配置した管理機において、耕耘装置Ｒを構成する耕耘カバー３の前端縁部３ｃを、左右の車輪１０の中央位置を中心Ｏとする円弧状に構成したことを特徴とする前部耕耘式管理機の耕耘カバー。
【請求項２】
車輪１０の前部に耕耘装置Ｒを配置し、該耕耘装置Ｒの前に耕深調節輪１１を配置した管理機において、該耕耘装置Ｒの構成する耕耘カバー３と耕耘ナタ爪１５の回転軌跡との間の間隔を、前端部間隔Ａと、中央部間隔Ｂと、後部間隔Ｃとした場合に、
前端部間隔Ａ＞中央部間隔Ｂ＜後部間隔Ｃ
に構成したことを特徴とする前部耕耘式管理機の耕耘カバー。
【請求項３】
車輪１０の前部に耕耘装置Ｒを配置し、該耕耘装置Ｒの前に耕深調節輪１１を配置した管理機において、該耕耘装置Ｒを構成する耕耘カバー３の、側面カバー３ｅを、耕耘カバー３の側端部を下方に折り曲げ加工することにより、耕耘カバー３をプレスにより一体的に構成したことを特徴とする前部耕耘式管理機の耕耘カバー。
【請求項４】
車輪１０の前部に耕耘装置Ｒを配置し、該耕耘装置Ｒの前に耕深調節輪１１を配置した管理機において、該耕耘装置Ｒを構成する耕耘カバー３において、該耕耘カバー３上に、エンジンＥのドレン口５部分を開口し、該ドレン口５の下方の耕耘カバー３の部分に、排油を案内する排油案内溝３ａをプレス加工により構成したことを特徴とする前部耕耘式管理機の耕耘カバー。
【発明の詳細な説明】
【技術分野】
【０００１】
本発明は、前部に耕耘装置を配置した管理機において、前部に配置した耕耘装置の耕耘ナタ爪の回動軌跡を被覆する耕耘カバーの構成に関するものである。
【背景技術】
【０００２】
従来、走行式の管理機において、前部に耕耘装置を配置し、耕耘後の土壌面を車輪が通過すべく構成された技術は公知とされているのである。
従来の前部耕耘式管理機の耕耘カバーにおいては、平面視で長方形状に構成されていたので、枕地での回行時において、該長方形の角部が畦や畝や土手部分に接触する為に、枕地回行半径を小さく出来ないという不具合があったのである。
【０００３】
また、前部耕耘式管理機において、耕耘装置が土壌中に深く沈む込む場合があり、耕耘ナタ爪の外周と耕耘カバーとの間に土壌が滞留して、耕耘負荷が大きくなるという不具合があったのである。
【０００４】
また、前部耕耘式管理機の耕耘カバーの上には、エンジンの一部が載置されており、該エンジンにはドレン口が設けられているのである。該エンジンのドレン口の蓋やボルト栓を開けて、排油を出す場合において、耕耘カバーの上を方向を定めずに排油が流れることがあるのである。
【０００５】
また、従来の前部耕耘式管理機の耕耘カバーにおいては、耕耘カバーの側面カバーの部分も別体により広い面に構成されているので、耕耘ナタ爪を外したり、耕耘爪軸を外す場合において、その都度、側面カバーを外す必要があったのである。
【特許文献１】特開２０００−２３６７０３号公報
【発明の開示】
【発明が解決しようとする課題】
【０００６】
本発明は、上記のような、前部耕耘式管理機の耕耘カバーの不具合を解消した構成を提供するものである。
【課題を解決するための手段】
【０００７】
本発明の解決しようとする課題は以上の如くであり、次にこの課題を解決するための手段を説明する。
【０００８】
請求項１においては、車輪１０の前部に耕耘装置Ｒを配置し、該耕耘装置Ｒの前に耕深調節輪１１を配置した管理機において、耕耘装置Ｒを構成する耕耘カバー３の前端縁部３ｃを、左右の車輪１０の中央位置を中心とする円弧状に構成したものである。
【０００９】
請求項２においては、車輪１０の前部に耕耘装置Ｒを配置し、該耕耘装置Ｒの前に耕深調節輪１１を配置した管理機において、該耕耘装置Ｒの構成する耕耘カバー３と耕耘ナタ爪１５の回転軌跡との間の間隔を、前端部間隔Ａと、中央部間隔Ｂと、後部間隔Ｃとした場合に、前端部間隔Ａ＞中央部間隔Ｂ＜後部間隔Ｃに構成したものである。
【００１０】
請求項３においては、車輪１０の前部に耕耘装置Ｒを配置し、該耕耘装置Ｒの前に耕深調節輪１１を配置した管理機において、該耕耘装置Ｒを構成する耕耘カバー３の、側面カバー３ｅを、耕耘カバー３の側端部を下方に折り曲げ加工することにより構成したものである。
【００１１】
請求項４においては、車輪１０の前部に耕耘装置Ｒを配置し、該耕耘装置Ｒの前に耕深調節輪１１を配置した管理機において、該耕耘装置Ｒを構成する耕耘カバー３において、該耕耘カバー３上に、エンジンＥのドレン口５部分を開口し、該ドレン口５の下方の耕耘カバー３の部分に、排油を案内する排油案内溝３ａをプレス加工により構成したものである。
【発明の効果】
【００１２】
本発明の効果として、以下に示すような効果を奏するものである。
請求項１の如く、車輪１０の前部に耕耘装置Ｒを配置し、該耕耘装置Ｒの前に耕深調節輪１１を配置した管理機において、耕耘装置Ｒを構成する耕耘カバー３の前端縁部３ｃを、左右の車輪１０の中央位置を中心とする円弧状に構成したので、圃場端の回行時において、耕耘カバー３の角部が、畦や畝や石垣等に接触することがなくなり、回行半径を小さくすることが可能となったものである。
【００１３】
請求項２の如く、耕耘装置Ｒの構成する耕耘カバー３と耕耘ナタ爪１５の回転軌跡との間の間隔を、前端部間隔Ａと、中央部間隔Ｂと、後部間隔Ｃとした場合に、前端部間隔Ａ＞中央部間隔Ｂ＜後部間隔Ｃに構成したので、耕耘した土壌が耕耘カバー３内より後方へスムーズに排出されるようになり、耕耘カバー３内における耕耘土壌の滞留を解消することができ、負荷の上昇を押さえることか可能となったものである。
【００１４】
請求項３の如く、耕耘カバー３の側面カバー３ｅを、耕耘カバー３の側端部を下方に折り曲げ加工することにより構成したので、耕耘ナタ爪１５を交換する場合や、耕耘爪軸を取り外す場合において、耕耘カバー３の側面カバー３ｅの部分が折り曲げただけの狭い幅であるので、その都度取り外す必要が無くなったのである。また側面カバー３ｅを簡潔な構成で製造することが出来るので、製造コストの低減にも効果を発揮するのである。
【００１５】
請求項４の如く、耕耘カバー３上に、エンジンＥのドレン口５部分を開口し、該ドレン口５の下方の耕耘カバー３の部分に、排油を案内する排油案内溝３ａをプレス加工により構成したので、エンジンＥのドレン口５を開蓋して、排油を取り出す場合にも、排油案内溝３ａが一定の方向を向いているので、該排油案内溝３ａの先端の位置に受ける為の容器を配置することにより、耕耘カバー３とドレン口５の間に容器を配置出来ない場合でも、排油案内溝３ａが樋の役目をして、周囲を汚すことなく、ドレン口５からの排油の回収が出来るのである。
【発明を実施するための最良の形態】
【００１６】
次に発明の実施の形態を説明する。
図１は、本発明の管理機と耕耘装置Ｒの全体を示す平面図、
図２は、本発明の管理機と耕耘装置Ｒの全体を示す側面図、
図３は、本発明の前部耕耘式管理機の耕耘カバーの平面図、
図４は、本発明の前部耕耘式管理機の耕耘カバーの前面図、
図５は、本発明の前部耕耘式管理機の耕耘カバーの側面図である。
【００１７】
図１と図２において、管理機の全体構成について説明する。
エンジンＥを中心に管理機の全体が構成されている。エンジンＥの後方には、燃料タンク１が配置されている。該燃料タンク１の中心の蓋開口部分が、左右の車輪１０の間に略中心位置を構成している。またエンジンＥの上面にはエンジンカバー２が被覆されており、該エンジンカバー２と燃料タンク１により、デザイン性能の向上を図っている。
【００１８】
該エンジンＥの下方には、『ヘ』の字型に構成されたミッションケース４が配置されている。該ミッションケース４に向かって、エンジンＥからベルトケース１７の内部のベルトを介して動力が伝達される。該ミッションケース４の前部に耕耘装置Ｒの耕耘爪軸７が設けられており、耕耘ナタ爪１５を反時計方向に回転して土壌が耕耘される。
【００１９】
側面視にて、耕耘ナタ爪１５が回動する部分で耕耘伝動ケースを構成するミッションケース４の下方には抵抗棒１６が垂設されている。また該耕耘ナタ爪１５の回転外周に、本発明の要部を構成する耕耘カバー３が被覆されている。該耕耘カバー３にはハンドル把手２０が、管理機の機体を持ち上げる為に設けられている。
該耕耘装置Ｒの前部に、耕深調節輪１１が配置されている。該耕深調節輪１１は、機体後部の操作ハンドル１２の部分の下方に設けられている耕深調節レバー１４を操作することにより、上下可能に構成されている。該耕深調節レバー１４により耕深調節輪１１の高さを調整することにより、車輪１０に対して耕耘装置Ｒの位置が上下し、耕深が調整されるのである。
【００２０】
また、ミッションケース４の後端に車軸８・８が突設されており、該車軸８・８に車輪１０が固定されている。また該左右の車輪１０の間で、ミッションケース４の後部に、ボルトによりケースカバーフレーム２６が固定されている。該ケースカバーフレーム２６には、ハンドルブラケット３０が固定されており、該ハンドルブラケット３０の上端には操作ハンドル１２が固定されている。
該操作ハンドル１２にはベルトクラッチ操作レバー１９が設けられており、また変速レバー１３がケースカバーフレーム２６から突設されている。またハンドルブラケット３０に操作ハンドル１２の基部が、ハンドル角度調節レバー１８により調節可能な状態で支持されている。
【００２１】
本発明の耕耘カバー３は、図２の側面図に示す如く構成されている。
即ち、耕耘ナタ爪１５の回転軌跡最外周と、耕耘カバー３の内面との間隔を比較した場合に、前端部間隔Ａと、中央部間隔Ｂと、後部間隔Ｃとすると、『前端部間隔Ａ＞中央部間隔Ｂ＜後部間隔Ｃ』に構成したものである。
【００２２】
また、耕耘カバー３は図２と図３と図４に示す如く構成されている。
エンジンＥの前部に潤滑油のドレン口５が設けられており、該ドレン口５が耕耘カバー３の上に配置されるような構成となっている。該ドレン口５と耕耘カバー３の面との間には狭い間隔しかないので、ドレン受容器をその間に配置することが出来ないのである。故に、ドレン口５の栓を開けると、排油が耕耘カバー３の上に流れでるのである。
【００２３】
従来は、この排油の出る部分の耕耘カバー３の形状が考慮されていなかったので、排油は何処に行くか判らなかったのである。結局は、思いもしない方向に流れ出して、周囲を汚すこととなっていたのである。
本発明においては、該耕耘カバー３をプレス成形する際において同時に成形する補強の為のリブを溝状として、排油案内溝３ａを意図的に設けて、該排油案内溝３ａをドレン口５の下方から前下方へ下がるように構成して、該ドレン口５から流れ出した排油を、一方方向に意図的に案内しているのである。
本構成においては、前方に向けて排出しており、該前端に受油容器を配置することより、排油を全て受けられるように構成しているのである。
【００２４】
また図１に示す如く、左右の車輪１０の中心位置である燃料タンク１の蓋部分を中心Ｏに円弧を描いた場合に、耕耘カバー３の前端縁部３ｃの部分が該円弧に沿うような形状としたものである。
これにより、作業機が中心Ｏを中心に回動操作されるような場合において、該前端縁部３ｃの部分が、畦や畝や石垣に沿って回動されることとなり、接触したり引っ掛かったりすることが無くなったのである。
図１において、９はエンジンＥの始動ロープである。
【００２５】
また、耕耘カバー３においては、側方への土壌の撥ね出しを阻止する為に、必ず側面カバー３ｅが必要なのである。しかし、本発明の場合には、前部耕耘式管理機の耕耘カバーであるので、後方のオペレーターの方には直ぐには、耕耘土壌が跳ねだされるという可能性が少ないので、少々側面カバー３ｅを省略することができるのである。
この点を考慮して、本発明においては、耕耘カバー３の側面カバー３ｅの部分をプレスにより加工した耕耘カバー３の左右の縁部だけにより構成したものである。
【００２６】
このように構成することより、耕耘爪軸７の交換や耕耘ナタ爪１５の交換にいても、側面カバー３ｅが邪魔となることが無いので、簡単に交換作業を行うことが出来るのである。
【図面の簡単な説明】
【００２７】
【図１】本発明の管理機と耕耘装置Ｒの全体を示す平面図。
【図２】本発明の管理機と耕耘装置Ｒの全体を示す側面図。
【図３】本発明の前部耕耘式管理機の耕耘カバーの平面図。
【図４】本発明の前部耕耘式管理機の耕耘カバーの前面図。
【図５】本発明の前部耕耘式管理機の耕耘カバーの側面図。
【符号の説明】
【００２８】
Ｒ  耕耘装置
１  燃料タンク
２  エンジンカバー
３  耕耘カバー
４  ミッションケース
５  ドレン口
１０  車輪
１１  耕深調節輪
１２  操作ハンドル
１３  変速レバー
【図１】
2006020563.tif 000003
【図２】
2006020563.tif 000004
【図３】
2006020563.tif 000005
【図４】
2006020563.tif 000006
【図５】
2006020563.tif 000007